(57)【特許請求の範囲】
【請求項１】
氷蓄熱装置の過冷却器出口から放出される過冷却水を受ける氷蓄熱槽に、氷蓄熱槽内部の水面に浮遊して自由に移動できる浮体を少なくとも氷蓄熱槽の水面が覆われるように投入し、過冷却器出口からの過冷却水を浮体に衝突させて過冷却を解除するようにしたことを特徴とする氷蓄熱装置。
【請求項２】
浮体の少なくとも外表面は、氷が付着し難い非付着性材で構成されていることを特徴とする請求項１記載の氷蓄熱装置。
【発明の詳細な説明】
【０００１】
【発明の属する技術分野】
本発明は、氷蓄熱装置に関するものであり、より詳しくは、過冷却器から氷蓄熱槽に落下する過冷却水の過冷却状態の解除を助けて製氷効果を高め、更に、氷蓄熱槽上部からの入熱を押えて氷の融解を防止することにより蓄冷性能を高めるようにした氷蓄熱装置に関するものである。
【０００２】
【従来の技術】
氷の持つ冷熱を利用して蓄冷を行わせるようにした氷蓄熱装置が実施されている。
【０００３】
氷蓄熱装置は、図４に示すように、過冷却器６と冷凍機３との間に、供給側流路１ａと戻り側流路１ｂからなる低温冷媒循環流路１を設け、冷凍機３からの低温冷媒２を供給側流路１ａに設けたポンプ３ａにより過冷却器６に循環供給して水４を摂氏零度以下にまで過冷却することにより過冷却水５を得るようにしている。
【０００４】
過冷却器６を出た過冷却水５は、氷蓄熱槽８の内部に貯留した水４の水面や氷蓄熱槽８の内部に設けられた図示しない衝突板等の過冷却解除器に衝突させ、その衝撃力によって強制的に過冷却状態を解除させて氷７を生成するようにしている。
【０００５】
氷蓄熱槽８には、氷蓄熱槽８内の水４を循環ポンプ９を用いて循環させ、スプレーノズル１０から噴射することにより氷７を融解させて冷熱を取出し易くするためのスプレー用流路１１と、冷熱取出流路１２を介して氷蓄熱槽８との間で熱交換媒体１３を循環させることにより、氷蓄熱槽８内部の水４と熱交換を行わせて、熱交換媒体１３に取出された冷熱を空調等に利用するようにしたビルの空調設備等の熱利用設備１４と、氷蓄熱槽８の水４を取出して再び過冷却器６に送る水ポンプ１６を有する水供給流路１５とが備えられている。
【０００６】
水供給流路１５の途中には、水４に混入して過冷却状態に悪影響を及ぼすダストや氷７の粒等を除去するためのストレーナ１７及びフィルタ１８等が設けられている。又、水供給流路１５には、加熱器と冷却器とを有する温度調節器２０が、熱交換器１９を介して接続されている。温度調節器２０は、過冷却器６に供給される水４に氷が含有されないように融解し、且つ一定の温度が保持されるように調節している。
【０００７】
そして、上記過冷却器６は、基本的に、過冷却水５を流す過冷却水流路２１と、該過冷却水流路２１に接するように低温冷媒２を流して過冷却水流路２１内を流れる水４を冷却して過冷却水５を得るための低温冷媒流路２２とによって構成されている。
【０００８】
通常の氷蓄熱装置では、例えば図５に示すように複数の過冷却器６を備えるようにしている。図５の例では３個の過冷却器６を備えており、各過冷却器６の過冷却水流路２１には水供給流路１５による水４が分岐されて供給されるようになっている。又、前記過冷却器６に対応して冷凍機３からの低温冷媒２が循環されるようになっている。図５中、Ｈは、各冷凍機３からの低温冷媒２に循環する供給側流路１ａと戻り側流路１ｂに三方弁Ｖを介して接続した加熱器である。図５の氷蓄熱装置では、図４の装置に比して大容量の氷蓄熱を行うことができる。
【０００９】
過冷却器６は、例えば、図６に示すように、過冷却水流路２１が１本の導水管２３であり、低温冷媒流路２２が導水管２３を包囲する外管２４である二重管式のものや、図７に示すように、過冷却水流路２１が複数本の導水管２５であり、低温冷媒流路２２が複数本の導水管２５を同時に包囲する外胴２６であるシェル・アンド・チューブ式のものや、図８に示すように、過冷却水流路２１が導水樋２７であり、低温冷媒流路２２が導水樋２７を上に置くようにした低温冷媒ジャケット２８である樋式のもの等がある。
【００１０】
又、冷凍機３は、図９に示すように、代替フロン等の第一の低温冷媒（冷媒）の蒸気２９を冷却水３０等によって凝縮するための凝縮器３１と、凝縮器３１で凝縮されて液化した第一の低温冷媒の液３２と過冷却器６へ送る前記低温冷媒２とを熱交換させ、過冷却器６へ送る低温冷媒２を冷却させる蒸発器３３と、蒸発器３３で熱交換により発生された第一の低温冷媒の蒸気２９を圧縮して凝縮器３１へ送る圧縮機３４とを有する間接冷却方式のものが一般的に使用されている。尚、図９中、符号３６はポンプである。
【００１１】
上記冷凍機３は、図１０に示すように、代替フロン等の第一の低温冷媒（冷媒）の蒸気２９を冷却水３０等によって凝縮するための凝縮器３１と、凝縮器３１で凝縮されて液化した第一の低温冷媒の液３２と第二の低温冷媒３７とを熱交換させる蒸発器３３と、蒸発器３３で熱交換により発生された第一の低温冷媒の蒸気２９を圧縮して凝縮器３１へ送る圧縮機３４と、第二の低温冷媒３７と過冷却器６へ送られる前記低温冷媒２とを熱交換させる中間熱交換器３８とを有する間接冷却方式のものとしても良い。尚、図１０中、符号３９はポンプである。
【００１２】
或いは、上記冷凍機３として、図１１に示すように、図９の蒸発器３３を備えておらず、過冷却器６の低温冷媒流路２２を蒸発器３３の代りに使って、過冷却器６の低温冷媒流路２２にて低温冷媒２を蒸発させ、蒸発の潜熱を利用して水４を過冷却水５とするようにした直接冷却方式のものも現在開発されている。直接冷却方式のものは、中間低温冷媒が不要となり、且つ、冷凍機３を小型化できるという利点がある。
【００１３】
上記したように構成された氷蓄熱装置では、図４及び図５の冷凍機３において例えば−６℃〜−１０℃に低温化された低温冷媒２は、低温冷媒循環流路１の供給側流路１ａを通って各過冷却器６の低温冷媒流路２２へと供給され、低温冷媒流路２２を流動する間に過冷却水流路２１内を流動する水４を冷却し、その後、低温冷媒２は、低温冷媒循環流路１の戻り側流路１ｂを通って冷凍機３へ戻され、以後、上記循環を繰返す。
【００１４】
同時に、氷蓄熱槽８の水４は、水ポンプ１６により揚水され、水供給流路１５を介して過冷却器６の過冷却水流路２１へと送られ、途中、ストレーナ１７やフィルタ１８によって、過冷却に悪影響を及ぼすダストや氷７の粒等が除去されたり、温度調節器２０によって、ストレーナ１７やフィルタ１８等では除去しきれない細かい氷７の粒を加熱して消失させる。この時、過冷却器６に供給する水４の温度は、例えば、０．３℃〜０．５℃程度の一定温度になるように調節している。
【００１５】
過冷却器６の過冷却水流路２１へ送られた水４は、冷凍機３から過冷却器６の低温冷媒流路２２へ送られた低温冷媒２によって摂氏零度以下例えば−２℃程度に冷却されて過冷却水５となる。
【００１６】
摂氏零度以下にまで冷却された過冷却水５は、エネルギー状態が極めて不安定であり、過冷却水５はエネルギーの極小値である氷相へ相変化を起し易い状態にある。
【００１７】
そこで、過冷却器６にて過冷却された過冷却水５を、氷蓄熱槽８へと落下させ、氷蓄熱槽８の内部に貯留した水４の水面や、氷蓄熱槽８内部に設けられた図示しない衝突板等の過冷却解除器に衝突させることにより、衝撃力によって過冷却水５の過冷却状態を強制的に解除し、氷７を生成させる。
【００１８】
このように、氷７の状態にして冷熱を氷蓄熱槽８に蓄積させることにより、水の状態で蓄冷する場合に比べて、容積の小さな氷蓄熱槽８でより大きな蓄冷能力を得ることが可能となる。
【００１９】
そして、氷蓄熱槽８内の氷７は、需要があるまでそのままの状態で保存され、需要が生じた場合には、例えば、氷蓄熱槽８内の水４を、循環ポンプ９及びスプレー用流路１１を介してスプレーノズル１０から氷７へ向けて噴射すること等により、氷７を融解させ、このときの融解熱で冷熱取出流路１２内を流れる熱交換媒体１３を冷却し、冷却された熱交換媒体１３をビルの空調設備等の熱利用設備１４へ送って、空調等に利用する。
【００２０】
又、水の過冷却現象は不安定状態で、時として過冷却器６の内部で水の過冷却状態が解除する場合がある。この場合には過冷却器６内部で氷が生成してしまうために過冷却器６が閉塞するという問題がある。そこで実用機では、図５に示したように、過冷却器６を複数台備えて同時に運転し、ある一つの過冷却器６が過冷却の解除によって運転を中止した場合でも、残りの過冷却器６がバックアップして運転を継続できるようにしている。このとき、閉塞した過冷却器６には、三方弁Ｖを介して加熱器Ｈからの加熱流体を通して加熱し、凍結した氷７を融解・排除することにより再作動を可能にする。
【００２１】
一方、上記したように、過冷却器６にて摂氏零度以下に冷却された過冷却水５を、氷蓄熱槽８に導いて過冷却状態を解除することにより氷７を生成させる手段としては、従来より種々の方法が考えられている。
【００２２】
過冷却水５の過冷却状態を解除するには、過冷却水５に衝撃力を与えてやることが有効である。このために、例えば、図４のように過冷却水５を高い位置から落下させて氷蓄熱槽８内の水４に衝突させたり、或いは落下する過冷却水に超音波を作用させたり、又、高い位置から落下する過冷却水を氷蓄熱槽内部に設けた衝突板等の過冷却解除器に衝突させる等の方法が採用されてきた。
【００２３】
【発明が解決しようとする課題】
しかし、従来の過冷却の解除方法において、過冷却水５を落下させて氷蓄熱槽８内の水４に衝突させる方法では、衝撃力を余り高めることができず、そのために氷７の生成効率が低く、高い製氷効果が得られないという問題がある。又、このように、過冷却水５を落下させてその位置エネルギーを利用した衝撃力だけに頼る方法では、大きな落下高さが必要であり、コンパクトを利点とする氷蓄熱装置にとってデメリットとなると共に、位置エネルギー分のポンプの揚水ヘッドを取らねばならず、運転コストも増加するという問題がある。
【００２４】
又、超音波を用いた解除方法では、機器が複雑且つ高価になってしまうという問題がある。
【００２５】
又、衝突板等の過冷却解除器を用いた解除方法では、衝突板に氷が付着するという問題があり、更に、衝突板に対する過冷却水の衝突角度によって氷蓄熱槽内での氷の蓄積が偏ってしまい、そのために、衝突板の取付角度を周期的に変更する等の必要が生じ、よって構造が複雑で高価になってしまう問題がある。又、衝突板を用いた解除方法は、過冷却水の水量を変えると、水の落下位置が変わるために、衝突板の位置を可変できるようにするか、又は一定流量での製氷のみに限定せざるを得ないという問題がある。
【００２６】
一方、一般的な過冷却方式の氷蓄熱装置では、氷蓄熱槽の上部に、落下する過冷却水が通る開口を備えたカバーを設置しているが、氷蓄熱槽内の氷が融解するという問題がある。即ち、過冷却水の落下によって氷蓄熱槽上の空気は流動しており、この空気の流動によって氷蓄熱槽の水面上から冷熱が奪われ易い状況になっている。氷蓄熱装置の主目的は、安価な夜間電力を用いて製氷し、昼間の電力ピークをカットすることであり、特に最も需要の大きな真夏期では、夜間製氷だけでは間に合わず、昼間の追いかけ運転をも実施するが、生成された氷が融解してしまうと、それだけ追いかけ運転の必要が生じて、運転コストの増加につながる。従って、氷蓄熱装置では、製氷効果を高めるのと同時に、生成された氷を融解させることなく貯蔵し蓄冷性能を高めることが重要であるが、従来このような蓄冷性能を考慮したものは存在していない。
【００２７】
本発明は、かかる従来の氷蓄熱装置の問題点を解決すべくなしたもので、過冷却器から氷蓄熱槽に落下する過冷却水の過冷却状態の解除を助けて氷の生成効果を高め、更に、氷蓄熱槽上部からの入熱を小さくして氷の融解を抑えることにより、高い製氷効果と蓄冷性能とを保持できるようにした氷蓄熱装置を提供することを目的としている。
【００２８】
【発明を解決するための手段】
本発明は、氷蓄熱装置の過冷却器出口から放出される過冷却水を受ける氷蓄熱槽に、氷蓄熱槽内部の水面に浮遊して自由に移動できる浮体を少なくとも氷蓄熱槽の水面が覆われるように投入し、過冷却器出口からの過冷却水を浮体に衝突させて過冷却を解除するようにしたことを特徴とする氷蓄熱装置、に係るものである。
【００２９】
上記手段において、浮体の少なくとも外表面は、氷が付着し難い非付着性材で構成されていてもよい。
【００３０】
上記手段によれば、簡略な構成にて、高い製氷効果と高い蓄冷性能を発揮することができ、よってシステム効率を向上できる。
【００３１】
投入する浮体の量を、少なくとも氷蓄熱槽の水面を覆うように投入すると、前記製氷効果と蓄冷性能が更に高められ、又、浮体の少なくとも外表面を、氷が付着し難い非付着性材で構成すると、浮体に氷が付着するような問題を防止できる。
【００３２】
又、氷蓄熱槽内に浮体を浮遊させた構成は、過冷却水の流量等の運転状態の変化にも容易に対応できる。
【００３３】
【発明の実施の形態】
図１、図２に、本発明の実施の形態例を示す。図１では過冷却器６として二重管式熱交換器形状のものを採用した場合を示しているが、低温冷媒によって水４を過冷却状態のまま流下させ、氷蓄熱槽の水面付近で過冷却を解除させるものであれば、どのような構造の過冷却器にも適用できる。又、過冷却器６が単機で備えられた場合を示しているが、図５のように複数配置されている場合にも同様に適用できる。
【００３４】
図１、図２の形態例では、氷蓄熱槽８の内部に、氷蓄熱槽８内部の水４の水面に浮遊し、且つ自由に移動できるようにした所要の浮体４０を投入し、過冷却器６出口から落下してくる過冷却水５を浮体４０に衝突させ、この衝撃力によって過冷却状態を解除し、製氷させるようにしている。
【００３５】
浮体４０は、氷蓄熱槽８内部の水４に浮遊する小さな比重で、且つ過冷却水５の衝突によって損傷することのない強度を有している必要がある。
【００３６】
浮体４０の材料としては、氷が付着し難い非付着性材、例えば、アクリル、ポリ塩化ビニル、ポリプロピレン等の高分子材料を用いることができる。このような高分子材料は、金属に比して熱伝導性が大幅に悪く、高い断熱性を有し、又、水に対する浮力も大きく、製造も容易でコストも安く抑えられる等の面から、浮体４０の材料として好適である。
【００３７】
浮体４０は、図３（Ａ）に示すように中空球状体４１ａとしたり、図３（Ｂ）に示すように中空楕円状体４１ｂとしたり、図３（Ｃ）に示すように中実球状体４１ｃとすることができる。又、図３（Ａ）〜図３（Ｃ）に示したような形状の浮体４０を発泡性材料或いは上記高分子材料以外の軽い材料で構成し、その外表面を、氷７が付着し難い塗料、或いはテフロン、又はフッ素等を主成分とする非付着性材のコーティング膜で被覆したものとしてもよい。
【００３８】
図３（Ｄ）は、金属によって浮体４０を構成する場合を示している。金属は、熱伝導性が良く、生成した氷７が付着・成長し易い問題があり、又、氷７と大気との熱移動が大きいために生成された氷７が溶け易いという問題がある。このため、金属による中空球状体４２を構成し、その中空球状体４２の外表面を、氷７が付着し難い塗料、或いはテフロン、又はフッ素等を主成分とする非付着性材４３によって被覆している。
【００３９】
一方、図３（Ｅ）は、大径体４０ａと小径体４０ｂのように大きさが異なる複数種類の浮体４０を混合して投入するようにした場合を示している。
【００４０】
浮体４０は、図３（Ａ）〜図３（Ｅ）に示した形状以外に、多面体、円柱、多角柱、円錐、多角錐、更には不定形状としてもよい。
【００４１】
このとき、浮体４０が水が溜まるような形状を有していると、その水溜まりの水が凍結・付着し、浮体４０表面での氷の成長を引き起こし、他の氷が凝結した浮体４０と凝集し、氷塊を形成する可能性がある。氷塊の生成は、利用し易いシャーベット状の氷を作る本氷蓄熱装置に反しており、冷水が利用し難くなる。又、水面上に大きな氷塊が形成されると、その頂上が過冷却器６まで達し、過冷却器６内での過冷却状態の解除の引き金にもなりかねない。
【００４２】
従って、浮体４０は、氷７の付着の問題を考慮すると、浮体４０には水溜まりが生じるような凹みや、尖った部分や角張った部分が無い方が好ましい。又、浮体４０の自由な浮遊・移動を考慮した場合にも、尖った部分や角張った部分が無い方が好ましい。
【００４３】
従って、上記から、球状の浮体４０とすることが最も好適と言える。投入する浮体４０の大きさは、取扱い性等を考慮して任意に選定することができる。このとき、浮体４０の形状が小さ過ぎると、比重が水４に近い材質の場合には、水４を循環する取水口まで吸引されて、装置トラブルの原因にもなるので、このような問題を生じない大きさのものとするのがよい。
【００４４】
氷蓄熱槽８には任意の量の浮体４０を投入することができる。例えば、氷蓄熱槽８の水面を略覆う量の浮体４０を投入したり、或いは、氷蓄熱槽８の水面を覆う量より多い量の浮体４０を投入して、浮体４０が氷蓄熱槽８の水面で重なり合うようにしてもよい。
【００４５】
以下に、上記形態例の作用を説明する。
【００４６】
図１において、過冷却器６で過冷却された過冷却水５は、過冷却器６から放出されて氷蓄熱槽８に落下する。
【００４７】
このとき、氷蓄熱槽８の水面には浮体４０が投入されて浮遊しているので、過冷却水５は浮体４０に衝突し、その衝撃力によって過冷却が解除されて氷７が生成される。
【００４８】
氷蓄熱槽８に、氷蓄熱槽８の水面を略覆う量の浮体４０を投入しておくと、過冷却器６から落下してくる過冷却水５の殆どはまんべんなく浮体４０に衝突し、これによって過冷却の解除が良好に行なわれて、氷７の生成が促進される。生成した氷７は浮体４０と水４の間に蓄積される。このとき、過冷却水５の落下により浮体４０及び水４は衝撃を受け、これによって水４は、図１、図２中破線で示すように流動し、これにより生成した氷７は氷蓄熱槽８内に均一に分散されるようになる。又このとき、衝撃を受けた浮体４０は水面下に一旦沈んでも直ちに浮上して水面を覆い、又過冷却水５が落下する以外の部分の浮体４０は水面を常に覆った状態で水面上を循環移動するようになる。
【００４９】
又、水面を浮遊する浮体４０の少なくとも外表面は、氷７が付着し難い非付着性材で構成されているので、生成した氷７は付着し難く、しかも浮体４０は落下する過冷却水５の衝撃によって変動している水面によって常時上下に揺動すると共に循環移動しているので氷７が付着し難くなっている。氷７は浮体４０の表面上で一旦付着するものもあるが、水の勢いや、氷７が付着した浮体４０のバランスが崩れ、氷７の付着した箇所が水４に接触するように回転し、氷７が水４に洗われて浮体４０から剥離し、浮体４０の下部に蓄積される。
【００５０】
このように浮体４０は、常時水面を覆っており、氷７が直接大気に接触するのを防止するので、氷蓄熱槽８の上部からの入熱を遮断して断熱・保温の効果を発揮することができ、よって生成された氷７が融解するのを防止できる。従って、氷蓄熱装置の運転コストを抑えることができる。
【００５１】
更に、氷蓄熱槽８に投入する浮体４０の量を、氷蓄熱槽８の水面を覆う量より多く投入すると、浮体４０が水面において重なり合うように配置されることになり、これにより、過冷却水５が浮体４０に衝突する機会が更に増加して氷７の生成効果が促進されると共に、水面を覆って氷蓄熱槽８の上部からの入熱を遮断する効果を更に高めることができる。
【００５２】
過冷却器６の安定した過冷却状態の持続には、精密な温度調整と流量調整が必要とされる。このため、従来の装置では、過冷却器単体の温度・流量を変えることはあまり行なわれていない。季節や需要による蓄熱容量の変動に対応する方法としては、一般に蓄熱時間を調整したり、複数台の装置を有している場合には運転台数を調整することで対処している。
【００５３】
本発明者等が実施した試験によれば、過冷却水５の流量を減少させると過冷却器６内での閉塞が生じ難くなるという試験結果を得た。従って、過冷却器６の閉塞を回避する手段として、流量を定格より落とすことも有効な対策の一つである。
【００５４】
しかし、従来装置では、衝突板等の過冷却解除器が固定であるために、過冷却水の流量変動に伴って過冷却水の落下位置が変化したとき、その位置へ衝突板を移動させる必要があり、機構の複雑さとコストの増加を招くことになるが、本発明の浮体４０によれば、このような問題を全く生じることがない。
【００５５】
更に、図５に示したように、過冷却器６が複数台設置される構成においても、浮体４０は常に氷蓄熱槽８の水面を覆っているので、改めて特別な過冷却解除器を設置する必要もない。
【００５６】
上記したように、過冷却器６から過冷却水５が落下する氷蓄熱槽８の水面に、表面が氷７が付着し難い材料で作られた多数の浮体４０を投入して浮遊させておき、過冷却器６から落下する過冷却水５がそれらの浮体４０と衝突するようにしたので、過冷却水５は浮体４０との衝突による衝撃力によって過冷却状態が解除されて氷７を効果的に生成することができ、且つ浮遊する浮体４０には生成した氷７が付着し難い効果があり、しかも水面を覆う浮体４０は、氷蓄熱槽８上部からの入熱を抑制して氷７の融解を抑える効果がある。
【００５７】
従って、従来の氷蓄熱装置に比して、簡略な構成にて、高い製氷効果と高い蓄冷性能を発揮することができ、システム効率の向上が図れる。
【００５８】
【発明の効果】
本発明によれば、簡略な構成にて、高い製氷効果と高い蓄冷性能を発揮することができ、よってシステム効率を向上できる効果がある。
【００５９】
投入した浮体によって、少なくとも氷蓄熱槽の水面が覆われるようにしたので、前記製氷効果と蓄冷性能が更に高められる効果がある。
【００６０】
浮体の少なくとも外表面を、氷が付着し難い非付着性材で構成すると、浮体に氷が付着するような問題を防止できる。
【００６１】
又、氷蓄熱槽内に浮体を浮遊させた構成は、過冷却水の流量等の運転状態の変化にも容易に対応できる効果がある。
【図面の簡単な説明】
【図１】本発明の実施の形態の一例を示す概略系統図である。
【図２】浮体と水と氷の作動を示す模式図である。
【図３】（Ａ）（Ｂ）（Ｃ）（Ｄ）は夫々浮体の形状例を示す断面図、（Ｅ）は浮体の側面図である。
【図４】従来の氷蓄熱装置の概略系統図である。
【図５】過冷却器が複数並設された従来の氷蓄熱装置の概略系統図である。
【図６】従来の過冷却器の一例を示す概略側方断面図である。
【図７】従来の過冷却器の他の例を示す概略側方断面図である。
【図８】従来の過冷却器の更に他の例を示す概略側方断面図である。
【図９】間接冷却方式の冷凍機を有する氷蓄熱装置の概略系統図である。
【図１０】間接冷却方式の冷凍機を有する他の氷蓄熱装置の概略系統図である。
【図１１】直接冷却方式の冷凍機を有する氷蓄熱装置の概略系統図である。
【符号の説明】
４  水
５  過冷却水
６  過冷却器
８  氷蓄熱槽
４０  浮体
４３  非付着性材
【図１】
0004288795.tif 000002
【図２】
0004288795.tif 000003
【図３】
0004288795.tif 000004
【図４】
0004288795.tif 000005
【図５】
0004288795.tif 000006
【図６】
0004288795.tif 000007
【図７】
0004288795.tif 000008
【図８】
0004288795.tif 000009
【図９】
0004288795.tif 000010
【図１０】
0004288795.tif 000011
【図１１】
0004288795.tif 000012